(57)【要約】【課題】カメラの撮像品質の劣化を招くことなく、視線の一致を実現することができる映像表示装置を得ることを目的とする。【解決手段】プロジェクタ１２における投射光の照射口１２ａがマイクロカメラ１６の撮像視野外になるようにするため、プロジェクタ１２をスクリーン１３の下側に設置して、斜め下側から映像をスクリーン１３に投影するようにする。これにより、マイクロカメラ１６の撮像品質の劣化を招くことなく、視線の一致を実現することができる効果を奏する。【選択図】        図１
2004357036.tif 000002
【特許請求の範囲】
【請求項１】
対向装置から送信される対話者の映像を受信する受信手段と、スクリーンの前面側に配置され、上記受信手段により受信された映像を上記スクリーンに投影するプロジェクタと、上記スクリーンに埋め込まれ、話者を撮像するカメラと、上記カメラにより撮像された映像を上記対向装置に送信する送信手段とを備えた映像表示装置において、上記プロジェクタにおける投射光の照射口が上記カメラの撮像視野外になるように上記プロジェクタが配置されたことを特徴とする映像表示装置。
【請求項２】
対向装置から送信される対話者の映像を受信する受信手段と、上記受信手段により受信された映像を上記スクリーンの分割領域に投影する複数のプロジェクタと、上記スクリーンに埋め込まれ、話者を撮像するカメラと、上記カメラにより撮像された映像を上記対向装置に送信する送信手段とを備えた映像表示装置において、上記カメラが上記スクリーンの分割領域の境界上に埋め込まれたことを特徴とする映像表示装置。
【請求項３】
受信手段により対向装置から送信された画面情報が受信された場合、あるいは、話者により画面操作が実施された場合、その画面情報又は画面操作にしたがって画面を表示する操作受付機能付表示器を設けたことを特徴とする請求項１または請求項２記載の映像表示装置。
【請求項４】
複数のプロジェクタは、スクリーンの分割領域の境界付近を投影する画角が、その境界付近の反対側を投影する画角よりも狭くなるように投影画角が調整されていることを特徴とする請求項２記載の映像表示装置。
【請求項５】
複数のプロジェクタがスクリーンの分割領域の境界付近を重複投影する場合、一方のプロジェクタの投射光がカメラに遮られることによって生じる影を他方のプロジェクタの投射光により解消するように、複数のプロジェクタの映像の輝度分布特性が調整されていることを特徴とする請求項２記載の映像表示装置。
【請求項６】
投射光の影が分布している領域を測定する測定手段と、上記測定手段の測定結果に応じて複数のプロジェクタの映像の輝度分布特性を補正する輝度補正装置とを設けたことを特徴とする請求項５記載の映像表示装置。
【請求項７】
スクリーンを上下に昇降させる昇降機を設けたことを特徴とする請求項１または請求項２記載の映像表示装置。
【請求項８】
スクリーンに対してプロジェクタを前後に移動させるスライダを設けたことを特徴とする請求項１または請求項２記載の映像表示装置。
【請求項９】
プロジェクタは、カメラが埋め込まれているスクリーンの穴の側面部分に投影する映像の輝度が、その穴の周囲に投影する映像の輝度と同じになるように映像の輝度分布特性が調整されていることを特徴とする請求項１または請求項２記載の映像表示装置。
【請求項１０】
カメラの撮像光を透過させる一方、プロジェクタの投射光を反射する偏向光学素子を用いて、上記カメラが埋め込まれているスクリーンの穴を塞ぐことを特徴とする請求項１または請求項２記載の映像表示装置。
【請求項１１】
カメラの撮像光を透過させるとともに、プロジェクタの投射光を透過させる偏向光学素子を用いて、上記カメラが埋め込まれているスクリーンの穴を塞ぐことを特徴とする請求項２記載の映像表示装置。
【発明の詳細な説明】
【０００１】
【発明の属する技術分野】
この発明は、遠隔地にいる対話者の映像を表示する映像表示装置に関するものである。
【０００２】
【従来の技術】
従来の映像表示装置は、スクリーンに表示される対話者（対向装置から送信される対話者の映像）と話者の視線が一致するように、スクリーンにおける対話者の目の近傍にカメラを埋め込み、そのカメラが話者を撮像して、その話者の映像を対向装置に送信するようにしている（例えば、特許文献１参照）。
【０００３】
【特許文献１】
特開２００２−２７４１９号公報（段落番号［００１５］から［００１８］、図１）
【０００４】
【発明が解決しようとする課題】
従来の映像表示装置は以上のように構成されているので、対話者と話者の視線を一致させることができる。しかし、プロジェクタにおける投射光の照射口がカメラの撮像視野内に配置されるため、プロジェクタの投射光がカメラに入射して、カメラの撮像品質が劣化するなどの課題があった。
【０００５】
この発明は上記のような課題を解決するためになされたもので、カメラの撮像品質の劣化を招くことなく、視線の一致を実現することができる映像表示装置を得ることを目的とする。
【０００６】
【課題を解決するための手段】
この発明に係る映像表示装置は、プロジェクタにおける投射光の照射口がカメラの撮像視野外になるようにプロジェクタを配置したものである。
【０００７】
【発明の実施の形態】
以下、この発明の実施の一形態を説明する。
実施の形態１．
図１はこの発明の実施の形態１による映像表示装置を示す構成図であり、図２はこの発明の実施の形態１による映像表示装置を示す正面図及び側面図である。
図において、映像表示装置１は例えば電話回線やインターネットなどのネットワークを介して対向装置２と接続されている。対向装置２は映像表示装置１と同様に、映像と音声の送受信機能を備えていればよく、映像表示装置１と必ずしも同一の構成である必要はない。
通信機１１は対向装置２から送信される対話者の映像及び音声を受信する一方、話者の映像及び音声を対向装置２に送信する受信手段及び送信手段を構成している。
【０００８】
プロジェクタ１２はスクリーン１３の前面側に配置され、通信機１１により受信された対話者の映像をスクリーン１３に投影する。１３ａはスクリーン１３の支持具である。ただし、プロジェクタ１２における投射光の照射口１２ａがマイクロカメラ１６の撮像視野外になるようにするため、プロジェクタ１２はスクリーン１３の下側に設置され、斜め下側から映像をスクリーン１３に投影するようにしている。なお、投射光の照射口１２ａは射出瞳とみなしてもよい。
音声出力部１４は通信機１１により受信された対話者の音声をスピーカ１５から出力する。
マイクロカメラ１６はスクリーン１３に埋め込まれ（マイクロカメラ１６の先端はスクリーン１３の表面より奥に位置する）、映像表示装置１の手前に座って対話者の映像を見ている話者を撮像する。図２では通信機１１の記載を省略しているが、マイクロカメラ１６の配線１７の先端は通信機１１と接続されている。マイクロカメラ１６の支持具（図示せず）はスクリーン１３の裏面に配置されている。
音声集音器１９はマイク１８から入力された話者の音声を通信機１１に出力する。
【０００９】
プロジェクタ２０は通信機１１により対向装置２から送信された画面情報が受信された場合、あるいは、話者により画面操作が実施された場合、その画面情報又は画面操作にしたがってスクリーン２１ａに画面を表示する。タッチパネル２１は話者による各種の操作を受け付けて、その操作信号をプロジェクタ２０に出力する。スクリーン２１ａはタッチパネル２１の上に形成され、各種の画面を表示する。
ここでは、プロジェクタ２０、タッチパネル２１及びスクリーン２１ａから操作受付機能付表示器が構成されているが、これに限るものではなく、例えば、ＣＲＴや液晶ディスプレイといった直視型表示装置とタッチパネル２１が一体化されていてもよい。また、タッチパネル２１の代わりにタブレットなどのタッチセンサを使用してもよい。また、タッチパネル２１の代わりに２次元又は３次元の入力手段であれば、マウスや撮像装置を用いた入力手段でもよい。
【００１０】
次に動作について説明する。
対向装置２は、対話者を撮像するカメラを搭載するとともに、対話者の音声を集音するマイク等を搭載しており、カメラにより撮像された対話者の映像と、マイク等により集音された対話者の音声とを送信する。
映像表示装置１の通信機１１は、対向装置２から送信された対話者の映像と音声を受信する。
【００１１】
プロジェクタ１２は、通信機１１が対向装置２から送信された対話者の映像を受信すると、その対話者の映像をスクリーン１３に投影する。
また、音声出力部１４は、通信機１１が対向装置２から送信された対話者の音声を受信すると、対話者の音声をスピーカ１５から出力する。
これにより、映像表示装置１の手前に座っている話者は、遠隔地にいる対話者の映像を見ながら、対話者の声を聞くことができる。
【００１２】
マイクロカメラ１６は、対話者との視線を一致させるため、対話者の顔の輪郭内（例えば、目の間、頭の位置）、あるいは、頭の少し上の位置に配置されるように、スクリーン１３に埋め込まれており、映像表示装置１の手前に座っている話者を撮像し、話者の映像を通信機１１に出力する。
ただし、プロジェクタ１２における投射光の照射口１２ａがマイクロカメラ１６の撮像視野外になるように配置されているため、プロジェクタ１２の投射光がマイクロカメラ１６に入射せず、プロジェクタ１２の投射光によってマイクロカメラ１６の撮像品質が劣化することはない。
【００１３】
音声集音器１９は、マイク１８から入力された話者の音声を集音し、その音声を通信機１１に出力する。
通信機１１は、マイクロカメラ１６から話者の映像を受け、音声集音器１９から話者の音声を受けると、その話者の映像と音声を対話装置２に送信する。
これにより、対話装置２のディスプレイには話者の映像が表示され、対話装置２のスピーカから話者の音声が出力される。
【００１４】
以上より、話者と対話者は、お互いに相手の顔を見ながら会話を行うことができるが、例えば、対話者が金融機関の営業担当であり、話者がユーザであるような場合には、資料に基づいて商品説明等を行うことがある。
このような場合には、対話者が対向装置２を操作して、所定の資料が表されている画面の画面情報を映像表示装置１に送信する。ただし、映像表示装置１が予め各種の資料が表されている画面の画面データを保持している場合には、表示対象の画面を指定する指定情報を画面情報として送信する。このような画面データを保持していない場合には、表示対象の画面データを画面情報として送信する。
【００１５】
映像表示装置１の通信機１１は、対向装置２から送信された画面情報を受信する。
プロジェクタ２０は、通信機１１が対向装置２から送信された画面情報を受信すると、その画面情報にしたがってタッチパネル２１のスクリーン２１ａに画面を表示する。
また、話者がスクリーン２１ａに触れることにより、タッチパネル２１を操作すると、その操作信号がプロジェクタ２０に出力され、プロジェクタ２０がその操作信号にしたがってスクリーン２１ａに表示している画面の切換や情報の上書き（例えば、表示されている資料の一部に○やチェックをつけるなどの上書き）などを行う。
なお、タッチパネル２１から出力された操作信号は、通信機１１が対向装置２に送信するので、対向装置２に付帯する映像表示装置１のスクリーン２１ａに相当するスクリーン、または、その他のディスプレイの表示内容は、スクリーン２１ａの表示内容と一致する。
【００１６】
以上で明らかなように、この実施の形態１によれば、プロジェクタ１２における投射光の照射口１２ａがマイクロカメラ１６の撮像視野外になるようにプロジェクタ１２を配置する構成にしたので、マイクロカメラ１６の撮像品質の劣化を招くことなく、視線の一致を実現することができる効果を奏する。
【００１７】
また、この実施の形態１によれば、通信機１１により対向装置２から送信された画面情報が受信された場合、あるいは、話者により画面操作が実施された場合、その画面情報又は画面操作にしたがってスクリーン２１ａに画面を表示するように構成したので、例えば、資料に基づく商品説明等を行うことができる効果を奏する。
また、マイクロカメラ１６の撮像視野をスクリーン２１ａの近傍に含ませることで、話者の操作状況を撮像することができるので、対話者が話者の理解度の推察を容易に行うことができるようになる。その際、マイクロカメラ１６はあおり撮像により撮像視野を不均等にしてもよい。
【００１８】
なお、この実施の形態１では、スクリーン１３の下側にプロジェクタ１２を設置し、斜め下側から映像をスクリーン１３に投影するものについて示したが、プロジェクタ１２における投射光の照射口１２ａがマイクロカメラ１６の撮像視野外になるようにプロジェクタ１２を配置すればよく、例えば、スクリーン１３の上側や左右側にプロジェクタ１２を設置し、斜め上側や左右側から映像をスクリーン１３に投影するようにしてもよい。
【００１９】
この実施の形態１では、スクリーン２１ａに資料等の画面を表示するものについて示したが、スクリーン２１ａに画面を表示するときにスクリーン２１ａを不透明にする一方、一時的にスクリーン２１ａを透明に切り替えられる制御部を設け、その制御部がスクリーン２１ａを一瞬透明にしたとき、概ね透明であるタッチパネル２１の下部に設置されているカメラ（図示せず）が下方向から話者を撮像し、その話者の映像を通信機１１を介して対向装置２に送信するようにしてもよい。
この場合、俯いている話者の映像を対話者が見ることができるので、対話者が話者の状態を容易に把握することができる。
また、スクリーン２１ａに光沢を持たせ、上記の不図示のカメラをスクリーン２１ａの上方においても話者がスクリーン２１ａに多少映りこむので、上記カメラ又はマイクロカメラ１６で撮像することができる。
【００２０】
実施の形態２．
上記実施の形態１では、スクリーン１３の前面側にプロジェクタ１２を配置するものについて示したが、図３に示すように、スクリーン１３の背面側に、対話者の映像（対話者の映像の上半分）をスクリーン１３の分割領域Ａに投影するプロジェクタ１２Ａと、対話者の映像（対話者の映像の下半分）をスクリーン１３の分割領域Ｂに投影するプロジェクタ１２Ｂとを配置し、マイクロカメラ１６をスクリーン１３の分割領域Ａ，Ｂの境界上に埋め込むようにしてもよい。ただし、この場合、スクリーン１３は背面投射用スクリーンである。
【００２１】
この実施の形態２の場合も、プロジェクタ１２における投射光の照射口１２ａがマイクロカメラ１６の撮像視野外に配置されるため、プロジェクタ１２Ａ，１２Ｂの投射光がマイクロカメラ１６に入射せず、プロジェクタ１２Ａ，１２Ｂの投射光によってマイクロカメラ１６の撮像品質が劣化することはない。
よって、上記実施の形態１と同様に、マイクロカメラ１６の撮像品質の劣化を招くことなく、視線の一致を実現することができる効果を奏する。
なお、この実施の形態２では、プロジェクタ１２Ａ，１２Ｂをスクリーン１３の上下に配置するものについて示したが、プロジェクタ１２Ａ，１２Ｂをスクリーン１３の左右に配置するようにしてもよく同様の効果を奏することができる。
また、プロジェクタ１２Ａ，１２Ｂはスクリーン１３の前面に配置してもよく、プロジェクタ側に張り出したカメラの影を見えにくくすることができる。
【００２２】
実施の形態３．
上記実施の形態２では、プロジェクタ１２Ａが映像をスクリーン１３の分割領域Ａに投影し、プロジェクタ１２Ｂが映像をスクリーン１３の分割領域Ｂに投影するものについて示したが、プロジェクタが機械的又は工学的にずれてしまった場合、隙間が空いたりして、スクリーン１３の分割領域Ａ，Ｂの境界に帯状の線が現れる。また、プロジェクタ１２Ａとプロジェクタ１２Ｂにおける投射光の指向性に違いがある場合、見る方向で明るさの段差が発生する。また、投影画角が広いほど、スクリーンに映りこむカメラの影が長かった。
そこで、この実施の形態３では、明るさの段差や帯状の線を目立たなくするため、あるいは、マイクロカメラ１６によってできる影を短くするため、図４に示すように、プロジェクタ１２Ａ，１２Ｂの投影画角を不均等に調整する。
即ち、スクリーン１３の分割領域Ａ，Ｂの境界付近を投影する画角が、その境界付近の反対側を投影する画角よりも狭くなるように、プロジェクタ１２Ａ，１２Ｂの投影画角を調整する。
これにより、上記実施の形態２よりも、スクリーン１３の表示品質を高めることができる効果を奏する。
【００２３】
実施の形態４．
上記実施の形態２では、プロジェクタ１２Ａが映像をスクリーン１３の分割領域Ａに投影し、プロジェクタ１２Ｂが映像をスクリーン１３の分割領域Ｂに投影するものについて示したが、図５に示すように、プロジェクタ１２Ａ，１２Ｂがスクリーン１３の分割領域Ａ，Ｂの境界付近を重複投影する場合、プロジェクタ１２Ａ，１２Ｂの投射光の一部がマイクロカメラ１６（あるいは、マイクロカメラ１６の支持具）に遮られることにより、その分割領域Ａ，Ｂの境界付近に当該投影光の影が発生する。
【００２４】
そこで、この実施の形態４では、プロジェクタ１２Ａの投射光がマイクロカメラ１６に遮られることによって生じる影をプロジェクタ１２Ｂの投射光により解消し、プロジェクタ１２Ｂの投射光がマイクロカメラ１６に遮られることによって生じる影をプロジェクタ１２Ａの投射光により解消するため、図６（ｂ）に示すように、プロジェクタ１２Ａ，１２Ｂの映像の輝度分布特性を調整する。
プロジェクタ１２Ａ，１２Ｂの投影光の影が発生している領域では光量が少ないが、図６（ｂ）の横断面の輝度分布特性のようにプロジェクタ１２Ａ，１２Ｂの映像の輝度分布特性を調整すると、投影光の影が発生している領域の光量が概ね１００％になるように補って増加するため、プロジェクタ１２Ａ，１２Ｂの投影光の影が解消される。
なお、プロジェクタ１２Ａ，１２Ｂの投影光によるマイクロカメラ１６の影を解消する目的ではなく、単に、分割領域の境界付近に現れる帯状の線を解消する目的の場合、図６（ａ）の横断面の輝度分布特性のようにプロジェクタ１２Ａ，１２Ｂの映像の輝度分布特性を調整すればよい。
【００２５】
実施の形態５．
上記実施の形態４では、図６（ｂ）のようにプロジェクタ１２Ａ，１２Ｂの映像の輝度分布特性を調整するものについて示したが、この実施の形態５では、具体的に、その輝度分布特性の調整方法について説明する。
図７及び図８に示すように、プロジェクタ１２Ａが全面白をスクリーン１３の上部分である分割領域Ａに投影してから、測定手段である調整カメラ３１が、プロジェクタの投射光１２Ａがマイクロカメラ１６に遮られることによって生じる影を撮像し、その影の映像を輝度補正装置３２Ｂに送信する（手順１）。
次に、プロジェクタ１２Ｂが全面白をスクリーン１３の下部分である分割領域Ｂに投影してから、調整カメラ３１が、プロジェクタの投射光１２Ａがマイクロカメラ１６に遮られることによって生じる影を撮像し、その影の映像を輝度補正装置３２Ａに送信する（手順２）。
【００２６】
次に、輝度補正装置３２Ａは、調整カメラ３１により撮像された映像を参照し、プロジェクタ１２Ｂの投影光の影が分布している領域の輝度が概ね１００％になるように、プロジェクタ１２Ａの映像の輝度分布特性を補正する。
また、輝度補正装置３２Ｂは、調整カメラ３１により撮像された映像を参照し、プロジェクタ１２Ａの投影光の影が分布している領域の輝度が概ね１００％になるように、プロジェクタ１２Ｂの映像の輝度分布特性を補正する（手順３）。
なお、輝度補正装置３２Ａ，３２Ｂは、影が分布していない重複領域では、徐々に輝度を下げて、輝度が概ね１００％になるように補正する。
以上で明らかなように、この実施の形態５によれば、分割領域Ａ，Ｂの境界付近に発生する投影光の影を解消することができる効果を奏する。
【００２７】
実施の形態６．
上記実施の形態５では、調整カメラ３１が投影光の影を撮像するものについて示したが、図９に示すように、調整カメラ３１の代わりに、例えば、凹面鏡や複合レンズなどのコンバータ光学素子３３を測定手段の一部として背景板等に設置し、マイクロカメラ１６がコンバータ光学素子３３に反射された投影光の影を撮像し、その影の映像を輝度補正装置３２Ａ，３２Ｂに送信するようにしてもよく、上記実施の形態５と同様の効果を奏することができる。
【００２８】
実施の形態７．
上記実施の形態１〜６では、スクリーン１３が固定の支持具１３ａに取り付けられているものについて示したが、図１０に示すように、中央部３４ａを回転させることにより、ネジの原理によってスクリーン１３の支持具１３ａを上下に昇降させることができる昇降機３４を設けるようにしてもよい。
この場合、話者の座高に応じてスクリーン１３の支持具１３ａを上下に昇降させることにより、スクリーン１３に埋め込まれているマイクロカメラ１６の高さを自由に調整することができるので、話者が特定人でなくても、視線の一致を実現することができる効果を奏する。
なお、スクリーン１３の支持具１３ａ、あるいは、マイクロカメラ１６を水平方向に移動させることができる移動手段を設けるようにしてもよい。この場合、マイクロカメラ１６を対話者の利き目側に移動させることができるので、視線の一致度を高めることができる。
【００２９】
また、この実施の形態７では、スクリーン１３に対してプロジェクタ１２を前後に移動させるスライダ３５を設けるようにしている。
この場合、対話者の映像を必要に応じて拡大したり（スクリーン１３からプロジェクタ１２を遠ざける）、対話者の映像を縮小したり（プロジェクタ１２をスクリーン１３に近づける）することができる。
【００３０】
実施の形態８．
上記実施の形態１〜７では、特に言及していないが、図１１に示すように、プロジェクタ１２の投射光がスクリーン１３の表面だけでなく、マイクロカメラ１６が埋め込まれているスクリーン１３の穴の側面部分１３ｂにも照射されることがある。図１１の例では、スクリーン１３の穴が、奥側から表面側に向って若干広がりを持つように施されているが、奥側と表面側の穴径が同じでもよい。
このような場合、スクリーン１３の穴の側面部分１３ｂに投影する映像の輝度が、その穴の周囲に投影する映像の輝度と同じになるようにプロジェクタ１２の映像の輝度分布特性を調整する。また、映像のゆがみを調整する。
これにより、話者がスクリーン１３の映像を見たときに、穴の側面部分１３ｂに投影する映像と、その穴の周囲に投影する映像とが連続的になる。そのため、穴の一部分にも映像が写っているように見えて、穴の存在が目立たなくなる効果を奏する。
【００３１】
実施の形態９．
上記実施の形態１〜８では、マイクロカメラ１６がスクリーン１３に埋め込まれているものについて示したが、図１２に示すように、マイクロカメラ１６の撮像光を透過させる一方、プロジェクタ１２の投射光を反射する偏向光学素子３６（例えば、ホログラムフィルタ、マイクロプリズム、ハーフミラー、微小ミラー列）を用いて、マイクロカメラ１６が埋め込まれているスクリーン１３の穴を塞ぐようにしてもよい。
この場合、マイクロカメラ１６の撮像光を妨げることなく、マイクロカメラ１６が埋め込まれているスクリーン１３の穴にも対話者の映像を写すことができるので、穴の存在を目立たなくすることができる効果を奏する。
なお、図１２における投射光の反射方向は一例であり、この反射方向に限るものではなく、複数の方向に分離してもよいことは言うまでもない。
【００３２】
実施の形態１０．
上記実施の形態９では、プロジェクタ１２がスクリーン１３の前面側に配置されているものについて示したが、プロジェクタ１２がスクリーン１３の背面側に配置されている場合には、図１３に示すように、マイクロカメラ１６の撮像光を透過させるとともに、プロジェクタ１２の投射光を透過させる偏向光学素子３７（例えば、ホログラムフィルタ、マイクロプリズム、ハーフミラー、微小ミラー列）を用いて、マイクロカメラ１６が埋め込まれているスクリーン１３の穴を塞ぐようにしてもよい。
この場合、マイクロカメラ１６の撮像光を妨げることなく、マイクロカメラ１６が埋め込まれているスクリーン１３の穴にも対話者の映像を写すことができるので、穴の存在を目立たなくすることができる効果を奏する。
なお、図１３における投射光の透過方向は一例であり、この透過方向に限るものではないことは言うまでもない。
【００３３】
【発明の効果】
以上のように、この発明によれば、プロジェクタにおける投射光の照射口がカメラの撮像視野外になるようにプロジェクタを配置する構成にしたので、カメラの撮像品質の劣化を招くことなく、視線の一致を実現することができる効果がある。
【図面の簡単な説明】
【図１】この発明の実施の形態１による映像表示装置を示す構成図である。
【図２】この発明の実施の形態１による映像表示装置を示す正面図及び側面図である。
【図３】この発明の実施の形態２による映像表示装置の配置関係を示す配置図である。
【図４】この発明の実施の形態３による映像表示装置の配置関係を示す配置図である。
【図５】この発明の実施の形態４による映像表示装置の配置関係を示す配置図である。
【図６】プロジェクタの映像の輝度分布特性を示す特性図である。
【図７】この発明の実施の形態５による映像表示装置の配置関係を示す配置図である。
【図８】プロジェクタの映像の輝度補正を示す説明図である。
【図９】この発明の実施の形態６による映像表示装置の配置関係を示す配置図である。
【図１０】この発明の実施の形態７による映像表示装置を示す説明図である。
【図１１】この発明の実施の形態８による映像表示装置を示す側面図である。
【図１２】この発明の実施の形態９による映像表示装置を示す側面図である。
【図１３】この発明の実施の形態１０による映像表示装置を示す側面図である。
【符号の説明】
１  映像表示装置、２  対向装置、１１  通信機（受信手段、送信手段）、１２，１２Ａ，１２Ｂ  プロジェクタ、１２ａ  照射口、１３  スクリーン、１３ａ  スクリーンの支持具、１３ｂ  穴の側面部分、１４  音声出力部、１５  スピーカ、１６  マイクロカメラ、１７  マイクロカメラの配線、１８  マイク、１９  音声集音器、２０  プロジェクタ、２１  タッチパネル、２１ａ  スクリーン、３１  調整カメラ（測定手段）、３２Ａ，３２Ｂ  輝度補正装置、３３  コンバータ光学素子（測定手段）、３４  昇降機、３４ａ  中央部、３５  スライダ、３６，３７  偏向光学素子。
【図１】
2004357036.tif 000003
【図２】
2004357036.tif 000004
【図３】
2004357036.tif 000005
【図４】
2004357036.tif 000006
【図５】
2004357036.tif 000007
【図６】
2004357036.tif 000008
【図７】
2004357036.tif 000009
【図８】
2004357036.tif 000010
【図９】
2004357036.tif 000011
【図１０】
2004357036.tif 000012
【図１１】
2004357036.tif 000013
【図１２】
2004357036.tif 000014
【図１３】
2004357036.tif 000015